(57)【要約】【課題】携帯端末がアンケートの対象位置付近の位置情報を送信し、対象位置付近の携帯端末の移動経路や移動速度を取得する。【解決手段】携帯端末１７０は、現在の位置と時間とを含む位置情報を所定の間隔でアンケート配信サーバ１００に送信する。アンケート配信サーバ１００は、携帯端末がアンケート配信エリア内に位置している場合に、携帯端末１７０にアンケートを配信する。携帯端末１７０は、配信されたアンケートに対するユーザの回答を受け付けて、回答を含むアンケート回答結果情報をアンケート配信サーバ１００に送信する。そして、アンケート配信サーバ１００は、携帯端末１７０から送信される位置情報に基づいて、アンケートの対象物の位置付近における携帯端末１７０の移動経路と移動速度とを求め、求められた移動経路と移動速度およびアンケート回答結果情報に含まれる回答をアンケート回答結果テーブル１１３に登録する。【選択図】図１
2013206217.tif 000002
【特許請求の範囲】
【請求項１】
携帯端末と、アンケート配信サーバとを有するアンケートシステムであって、
前記携帯端末が、
現在の位置と時間とを含む位置情報を所定の間隔でアンケート配信サーバに送信する端末位置情報送信手段と、
アンケートの対象物の位置を含むアンケート配信エリア内に位置している場合に前記アンケート配信サーバからアンケートを配信され、配信された当該アンケートを表示し、当該アンケートに対するユーザの回答を受け付けて、当該回答を含むアンケート回答結果情報を前記アンケート配信サーバに送信するアンケート回答手段と、
を備え、
前記アンケート配信サーバが、
前記端末位置情報送信手段によって送信される位置情報を格納する端末情報テーブルと、
前記アンケートの対象物の位置を示すアンケート対象位置情報および前記アンケート配信エリアを示すアンケート配信エリア情報が格納されたアンケート対象情報テーブルと、
前記アンケート回答結果情報に含まれる回答および前記携帯端末の移動経路と移動速度を格納するアンケート回答結果テーブルと、
前記端末位置情報送信手段によって送信された位置情報を受信し、受信した当該位置情報を前記端末情報テーブルに登録する位置情報登録手段と、
前記携帯端末が前記アンケート配信エリア内に位置している場合に、前記携帯端末にアンケートを配信するアンケート配信手段と、
前記アンケート回答手段によって送信されたアンケート回答結果情報を受信したことに応答して、前記アンケート対象情報テーブルに格納されているアンケート対象位置情報と、前記端末情報テーブルに格納されている位置情報とに基づいて、前記アンケートの対象物の位置付近における前記携帯端末の移動経路と移動速度とを求め、前記携帯端末の移動経路と移動速度および受信した当該アンケート回答結果情報に含まれる回答を前記アンケート回答結果テーブルに登録するアンケート回答結果登録手段と、
を備える、
ことを特徴とするアンケートシステム。
【請求項２】
前記アンケート対象情報テーブルが、アンケートの対象物の位置を含む端末位置情報取得エリアを示す端末位置情報取得エリア情報を格納しており、
前記アンケート配信サーバが、前記アンケート対象情報テーブルに格納されている端末位置情報取得エリア情報を取得して前記携帯端末に送信する端末位置情報取得エリア送信手段を備え、
前記携帯端末が、前記端末位置情報取得エリア送信手段によって送信された端末位置情報取得エリア情報を受信する端末位置情報取得エリア情報受信手段を備え、
前記端末位置情報送信手段が、前記端末位置情報取得エリア情報受信手段によって受信された端末位置情報取得エリア内に位置しているか否かを判別し、前記端末位置情報取得エリア内に位置していると判別された場合にのみ位置情報を送信することを特徴とする請求項１に記載のアンケートシステム。
【発明の詳細な説明】
【技術分野】
【０００１】
本発明は、携帯端末を利用してアンケートを行うアンケートシステムに関する。
【背景技術】
【０００２】
ポイント報酬型のインターネットアンケートサービスがある。これは参加者が運営側からメール等で依頼を受け、Ｗｅｂ上で回答する。こうしたアンケートには、商品の陳列に関するアンケートなど、対象物の近辺で回答すると効果的なテーマも含まれている。さらに、看板やデジタルサイネージについて、その場でアンケートを取ることで広告効果を測定することも可能である。
特許文献1は、携帯端末の位置情報を使用してアンケートを実施する方法を開示する。この方法では、所定時間になるとアンケート実施サーバが携帯端末から位置情報を受信し、受信した位置情報と質問に関連付けられている位置情報とが一致する場合、携帯端末に質問情報を送信するしくみになっている。
【先行技術文献】
【特許文献】
【０００３】
【特許文献１】特開２００６−２６０２６４号公報
【発明の概要】
【発明が解決しようとする課題】
【０００４】
特許文献1に記載の方法は、携帯端末から受信した位置情報のみを記憶するものであり携帯端末を保有する人物が質問の対象位置にいたことが分かる。
しかし、例えば、看板やデジタルサイネージの広告効果については、動く人物の移動経路や移動速度から見え方を分析することにも意義があるが、特許文献1に記載の方法では対象位置にたどり着くための移動経路や移動速度を解析することはできない。
また、特許文献1に記載の方法では、対象位置を検知するために携帯端末は常に位置情報を発信する必要があるが、本来対象位置付近以外では通信する必要がなく無駄である。
【０００５】
本発明は、携帯端末がアンケートの対象位置付近の位置情報を送信し、対象位置付近の携帯端末の移動経路や移動速度を取得することができるアンケートシステムを提供することを目的とする。
【課題を解決するための手段】
【０００６】
上記課題を解決するために、本発明のアンケートシステムは、
携帯端末と、アンケート配信サーバとを有するアンケートシステムであって、
前記携帯端末が、
現在の位置と時間とを含む位置情報を所定の間隔でアンケート配信サーバに送信する端末位置情報送信手段と、
アンケートの対象物の位置を含むアンケート配信エリア内に位置している場合に前記アンケート配信サーバからアンケートを配信され、配信された当該アンケートを表示し、当該アンケートに対するユーザの回答を受け付けて、当該回答を含むアンケート回答結果情報を前記アンケート配信サーバに送信するアンケート回答手段と、
を備え、
前記アンケート配信サーバが、
前記端末位置情報送信手段によって送信される位置情報を格納する端末情報テーブルと、
前記アンケートの対象物の位置を示すアンケート対象位置情報および前記アンケート配信エリアを示すアンケート配信エリア情報が格納されたアンケート対象情報テーブルと、
前記アンケート回答結果情報に含まれる回答および前記携帯端末の移動経路と移動速度を格納するアンケート回答結果テーブルと、
前記端末位置情報送信手段によって送信された位置情報を受信し、受信した当該位置情報を前記端末情報テーブルに登録する位置情報登録手段と、
前記携帯端末が前記アンケート配信エリア内に位置している場合に、前記携帯端末にアンケートを配信するアンケート配信手段と、
前記アンケート回答手段によって送信されたアンケート回答結果情報を受信したことに応答して、前記アンケート対象情報テーブルに格納されているアンケート対象位置情報と、前記端末情報テーブルに格納されている位置情報とに基づいて、前記アンケートの対象物の位置付近における前記携帯端末の移動経路と移動速度とを求め、前記携帯端末の移動経路と移動速度および受信した当該アンケート回答結果情報に含まれる回答を前記アンケート回答結果テーブルに登録するアンケート回答結果登録手段と、
を備える、
ことを特徴とする。
【０００７】
好ましくは、本発明のアンケートシステムは、
前記アンケート対象情報テーブルが、アンケートの対象物の位置を含む端末位置情報取得エリアを示す端末位置情報取得エリア情報を格納しており、
前記アンケート配信サーバが、前記アンケート対象情報テーブルに格納されている端末位置情報取得エリア情報を取得して前記携帯端末に送信する端末位置情報取得エリア送信手段を備え、
前記携帯端末が、前記端末位置情報取得エリア送信手段によって送信された端末位置情報取得エリア情報を受信する端末位置情報取得エリア情報受信手段を備え、
前記端末位置情報送信手段が、前記端末位置情報取得エリア情報受信手段によって受信された端末位置情報取得エリア内に位置しているか否かを判別し、前記端末位置情報取得エリア内に位置していると判別された場合にのみ位置情報を送信することを特徴とする。
【発明の効果】
【０００８】
本発明によれば、携帯端末がアンケートの対象位置付近の位置情報を送信し、対象位置付近の携帯端末の移動経路や移動速度を取得することができる。
【図面の簡単な説明】
【０００９】
【図１】本発明の実施形態に係るアンケートシステムの構成の一例を示す図である。
【図２】端末情報テーブルの構成の一例を示す図である。
【図３】アンケート対象情報テーブルの構成の一例を示す図である。
【図４】アンケート回答結果テーブルの構成の一例を示す図である。
【図５】アンケート配信サーバと携帯端末の間の通信シーケンスを示す図である。
【図６】アンケート配信サーバのアンケート対象リスト送信部における処理の流れの一例を示す図である。
【図７】アンケート配信サーバのアンケート回答結果登録部における処理の流れの一例を示す図である。
【図８】携帯端末における常駐アプリの起動時の処理の流れの一例を示す図である。
【図９】携帯端末における端末位置情報送信部の処理の流れの一例を示す図である。
【図１０】携帯端末におけるアンケート回答部の処理の流れの一例を示す図である。
【図１１】ある地域の中にアンケートの対象物がある場合に位置情報を取得するイメージの一例を示す図である。
【図１２】アンケート回答結果が集計されたグラフの一例を示す図である。
【発明を実施するための形態】
【００１０】
以下、本発明の実施形態に係るアンケートシステムについて図面を参照しながら詳細に説明する。
【００１１】
図１は、本発明の実施形態に係るアンケートシステムの構成の一例を示す。
本発明の実施形態に係るアンケートシステムは、アンケート配信サーバ１００と携帯端末１７０とで構成される。アンケート配信サーバ１００と携帯端末１７０とは、ネットワーク１３０に接続されており、相互に通信することができる。
【００１２】
アンケート配信サーバ１００は、コンピュータであり、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成されるメモリと、ハードディスク等で構成される記憶装置１１０とを有する。
アンケート配信サーバ１００のメモリはアンケート配信プログラム１２０を記憶している。アンケート配信サーバ１００のＣＰＵがアンケート配信プログラム１２０を実行することにより、アンケート対象リスト送信部１２１と、端末位置情報登録部１２２と、アンケート配信部１２３と、アンケート回答結果登録部１２４と、アンケート回答結果分析部１２５との各部の機能が実現される。なお、各部の詳細については後述する。
記憶装置１１０は、端末情報テーブル１１１と、アンケート対象情報テーブル１１２と、アンケート回答結果テーブル１１３とを格納する。なお、各テーブルの詳細については後述する。
【００１３】
携帯端末１７０は、例えば携帯電話やスマートフォンであり、ＣＰＵと、ＲＡＭやフラッシュメモリ等で構成されるメモリと、ＧＰＳ（Ｇｌｏｂａｌ  Ｐｏｓｉｔｉｏｎｉｎｇ  Ｓｙｓｔｅｍ）受信器と、カメラとを備える。
携帯端末１７０のメモリには、常駐アプリ１７１がインストールされており、ＣＰＵが常駐アプリ１７１を実行することにより、アンケート対象リスト受信部１７２と、端末位置情報送信部１７３と、アンケート回答部１７４との各部の機能が実現される。なお、各部の詳細については後述する。
【００１４】
図２は、端末情報テーブル１１１の構成の一例を示す。
端末情報テーブル１１１は、端末ＩＤ（Ｉｄｅｎｔｉｆｉｅｒ）と、ユーザＩＤと、位置情報受信日時と、位置情報受信時刻と、位置情報とで構成される。
端末ＩＤは各携帯端末１７０に一意に付与される識別符号である。ユーザＩＤは各携帯端末１７０のユーザに一意に付与される識別符号である。
位置情報受信日時と位置情報受信時刻とは、それぞれ各携帯端末１７０のＧＰＳ受信器がＧＰＳ衛星から位置情報を受信した日時と時刻を示す。位置情報は、ＧＰＳ衛星から受信した位置情報であり、緯度経度で示される。
【００１５】
図３は、アンケート対象情報テーブル１１２の構成の一例を示す。
アンケート対象情報テーブル１１２は、アンケートＩＤと、アンケート対象位置情報と、アンケート配信エリアと、端末位置情報取得エリアと、アンケート内容とで構成される。
アンケートＩＤは、各アンケートに一意に付与される識別符号である。
アンケート対象位置情報は、看板等のアンケートの対象物の位置を示す。
アンケート配信エリアは、アンケート配信サーバ１００が携帯端末１７０にアンケートを配信するエリアを示す。アンケート配信エリアは、アンケートの対象物の位置を含むように設定される。なお、図３には、矩形のアンケート配信エリアについて４角の座標（緯度と経度）を格納する例が示されているが、アンケート配信エリアは円形であると想定し、円形のアンケート配信エリアについて中心の座標（緯度と経度）と半径を格納してもよい。
端末位置情報取得エリアは、携帯端末１７０が取得した位置情報をアンケート配信サーバ１００に送信するエリアを示す。端末位置情報取得エリアはアンケート配信エリアを含むように設定される。なお、図３には、矩形の端末位置情報取得エリアについて４角の座標（緯度と経度）を格納する例が示されているが、端末位置情報取得エリアは円形であると想定し、円形の端末位置情報取得エリアについて中心の座標（緯度と経度）と半径を格納してもよい。
アンケート内容は、携帯端末１７０に配信されるアンケートの内容を示す。携帯端末１７０のユーザは、配信されたアンケートに回答する。
【００１６】
図４は、アンケート回答結果テーブル１１３の構成の一例を示す。
アンケート回答結果テーブル１１３は、アンケートＩＤと、ユーザＩＤと、アンケート結果と、エビデンスと、移動経路と、移動速度とで構成される。
アンケートＩＤは、アンケート毎に一意に付与される識別符号であり、アンケート対象情報テーブル１１２に含まれるアンケートＩＤと同じものが格納される。ユーザＩＤは、各携帯端末１７０のユーザに一意に付与される識別符号であり、端末情報テーブル１１１に含まれるユーザＩＤと同じものが格納される。
アンケート結果は、各携帯端末１７０から送信されたユーザのアンケートに対する回答である。エビデンスは、例えばユーザがアンケートに答えた場所を各携帯端末１７０に付属しているカメラで撮影した画像等であり、アンケートの内容により必要に応じて取得される。
移動経路は、端末位置情報取得エリア内に各携帯端末１７０が進入した位置からそのエリアを出た位置までの各携帯端末１７０の位置情報から求められる。例えば、Ａ経路、Ｂ経路、Ｃ経路、その他というようにあらかじめアンケートごとに移動経路の経路パターンを定義しておき、各携帯端末１７０が端末位置情報取得エリアを出た時点でどの移動経路に該当するかを求めて該当する経路パターンを登録する。
移動速度は、端末位置情報取得エリア内に各携帯端末１７０が進入した時点からアンケートの対象物の近傍に到達した時点までの位置情報受信日時および位置情報受信時刻と位置情報とに基づいて求められる。
【００１７】
次に、アンケート配信サーバ１００の各部の機能について詳細に説明する。
端末位置情報取得エリア送信手段の一例であるアンケート対象リスト送信部１２１は、携帯端末１７０からアンケート対象リスト要求を受信すると、図３のアンケート対象情報テーブル１１２からアンケートＩＤとアンケート配信エリアと端末位置情報取得エリアとを取得し、これらを含むアンケート対象リストを作成する。アンケート対象リストは、アンケート対象情報テーブル１１２に格納されている全てのアンケートの一覧である。そして、アンケート対象リスト送信部１２１は、携帯端末１７０にアンケート対象リストを送信する。
端末位置情報登録部１２２は、携帯端末１７０から端末位置情報を受信すると、それを図２の端末情報テーブル１１１に登録する。なお、携帯端末１７０から送信される端末位置情報は、端末ＩＤと、ユーザＩＤと、位置情報受信日時と、位置情報受信時刻と、位置情報とを含む。
アンケート配信部１２３は、携帯端末１７０から、アンケートＩＤを含むアンケート要求を受信すると、そのアンケートＩＤに対応するアンケート内容を図３のアンケート対象情報テーブル１１２から読み出し、読みだされたアンケート内容を含むアンケートを携帯端末１７０に配信する。
アンケート回答結果登録部１２４は、携帯端末１７０からアンケート回答結果を受信すると、それを図４のアンケート回答結果テーブル１１３に登録する。なお、携帯端末１７０から受信するアンケート回答結果は、アンケートＩＤとユーザＩＤとアンケート結果とエビデンスとを含んでいる。また、アンケート回答結果登録部１２４は、携帯端末１７０が位置情報取得エリアに進入してから出るまでの移動経路と、アンケートの対象の近傍での携帯端末１７０の移動速度とを求めて、図４のアンケート回答結果テーブル１１３に登録する。移動経路と移動速度を求める処理については、図７を参照しながら後で詳細に説明する。
アンケート回答結果分析部１２５は、アンケート回答結果テーブル１１３に格納されているアンケートの回答結果を所定の方法で分析し、広告の効果を測定する。
【００１８】
次に、携帯端末１７０の各部の機能について詳細に説明する。
端末位置情報取得エリア情報受信手段の一例であるアンケート対象リスト受信部１７２は、アンケート配信サーバ１００にアンケート対象リスト要求を送信し、アンケート配信サーバ１００からアンケート対象リストを受信する。
端末位置情報送信部１７３は、アンケート対象リストに含まれる端末位置情報取得エリアに入っているか否かを判別し、端末位置情報取得エリアに入っている場合には、所定の間隔で位置情報をアンケート配信サーバ１００に送信する。
アンケート回答部１７４は、アンケート対象リストに含まれるアンケート配信エリアに入っているか否かを判別し、アンケート配信エリアに入っている場合には、そのアンケート配信エリアに対応するアンケートＩＤを含むアンケート要求をアンケート配信サーバ１００に送信する。アンケート回答部１７４は、アンケート配信サーバ１００からアンケートを受信すると、アンケート内容を含むアンケート実施メッセージを携帯端末１７０のディスプレイ等に表示してアンケートの実施をユーザに促す。ユーザがアンケートに回答すると、アンケート回答部１７４は、アンケート回答結果を一時保存する。アンケートによっては、広告効果を検証するためにエビデンス画像を残すと効果的な場合がある。アンケート回答部１７４は、アンケート内容に基づいてエビデンス画像が必要か否かを判別する。エビデンス画像が必要である場合、アンケート回答部１７４は、エビデンス画像取得メッセージを携帯端末１７０のディスプレイ等に表示して、ユーザがカメラによって撮影したエビデンス画像を保存する。そして、一時保存したアンケート回答結果とエビデンス画像（取得した場合）をアンケート配信サーバ１００に送信し、送信済みであることをメモリに記録する。
【００１９】
図５は、アンケート配信サーバ１００と携帯端末１７０の間の通信シーケンスを示す。
携帯端末１７０で常駐アプリ１７１が起動されると、携帯端末１７０のアンケート対象リスト受信部１７２は、アンケート配信サーバ１００にアンケート対象リスト要求を送信し、アンケート配信サーバ１００からアンケート対象リストを取得する。アンケート対象リストはアンケートＩＤとアンケート配信エリアと端末位置情報取得エリアとを含んでいる。
携帯端末１７０の端末位置情報送信部１７３は、アンケート配信エリアおよび端末位置情報取得エリアを現在位置と比較して、サーバへの情報送信を決定する。携帯端末１７０が端末位置情報取得エリアに進入した場合、端末位置情報送信部１７３は位置情報をアンケート配信サーバ１００に送信し、アンケート配信サーバ１００は位置情報を端末情報テーブル１１１に登録する。
更に、携帯端末１７０がアンケート配信エリアに進入した場合、携帯端末１７０のアンケート回答部１７４は、アンケート要求をアンケート配信サーバ１００に送信する。アンケート配信サーバ１００は、アンケートを配信する。
携帯端末１７０のアンケート回答部１７４は、アンケート配信サーバ１００からアンケートを取得すると、携帯端末１７０のディスプレイ等に表示してユーザにアンケート実施を促す。ユーザに回答すると、アンケート回答部１７４はアンケート回答結果をアンケート配信サーバ１００に送信する。アンケート配信サーバ１００のアンケート回答結果登録部１２４は、アンケート回答結果をアンケート回答結果テーブル１１３に登録する。その際、アンケート回答結果登録部１２４は、ユーザがたどった経路パターンと移動速度を求めてアンケート回答結果テーブル１１３に登録する。
【００２０】
図６は、アンケート配信サーバ１００のアンケート対象リスト送信部１２１における処理の流れの一例を示す。
アンケート対象リスト送信部１２１は、携帯端末１７０からアンケート対象リスト要求を受信すると、図３のアンケート対象情報テーブル１１２からアンケートＩＤとアンケート配信エリアと端末位置情報取得エリアとを取得し（Ｓ１０１）、これらを含むアンケート対象リストを作成する（Ｓ１０２）。そして、アンケート対象リスト送信部１２１は、携帯端末１７０にアンケート対象リストを送信する（Ｓ１０３）。
【００２１】
図７は、アンケート配信サーバ１００のアンケート回答結果登録部１２４における処理の流れの一例を示す。
アンケート回答結果登録部１２４は、携帯端末１７０からアンケート回答結果を受信すると、それを図４のアンケート回答結果テーブル１１３に登録する（Ｓ２０１）。
次に、アンケート回答結果登録部１２４は、移動経路と移動速度を求める（Ｓ２０２）。
具体的には、アンケート回答結果登録部１２４は、アンケートＩＤをキーにしてアンケート対象情報テーブル１１２を検索し、アンケートＩＤに対応するアンケート対象位置情報と端末位置情報取得エリアとを取得する。また、アンケート回答結果登録部１２４は、ユーザＩＤをキーにして端末情報テーブル１１１を検索し、ユーザＩＤに対応する一連の位置情報受信日時と位置情報受信時刻と位置情報とを取得する。アンケート回答結果登録部１２４は、携帯端末１７０が端末位置情報取得エリアに進入してからそのエリアを出るまでの一連の位置情報受信日時と位置情報受信時刻と位置情報とに絞り込む。そして、アンケート回答結果登録部１２４は、絞り込まれた一連の位置情報に基づいて携帯端末１７０の移動経路を求める。なお、移動経路は位置情報取得エリアに進入した位置と出た位置で判別する。また、アンケート回答結果登録部１２４は、アンケート対象情報テーブル１１２から読み出したアンケート対象位置情報および絞り込まれた一連の位置情報受信日時と位置情報受信時刻と位置情報に基づいてアンケートの対象の近傍での携帯端末１７０の移動速度を求める。
そして、アンケート回答結果登録部１２４は、求めた移動経路と移動速度を図４のアンケート回答結果テーブル１１３に登録する（Ｓ２０３）。
【００２２】
図８は、携帯端末１７０における常駐アプリ１７１の起動時の処理の流れの一例を示す。
常駐アプリ１７１が起動されると、アンケート対象リスト受信部１７２はオンライン状態か否かチェックする（Ｓ３０１）。オンラインであれば（Ｓ３０１：Ｙｅｓ）、アンケート対象リスト受信部１７２は、アンケート対象リスト要求をアンケート配信サーバ１００に送信する（Ｓ３０２）。アンケート配信サーバ１００からアンケート対象リストを受信すると、アンケート対象リストを携帯端末１７０のメモリに保存する（Ｓ３０３）。なお、保存されたアンケート対象リストは、端末位置情報送信部１７３とアンケート回答部１７４がそれぞれ位置情報とアンケート要求を送信するか否かを判別する際に使用される。一方、オンラインでなければ（Ｓ３０１：Ｎｏ）、アンケート対象リスト受信部１７２はオンラインになるまで待つ。
次に、アンケート回答部１７４は、アンケート回答結果が未送信のものが存在するか否かチェックする（Ｓ３０４）。未送信のものがあれば（Ｓ３０４：Ｙｅｓ）、アンケート回答部１７４はアンケート回答結果をアンケート配信サーバ１００に送信し（Ｓ３０５）、メモリに記録されているアンケート対象リストにそのアンケート回答結果が送信済みであることを示す回答済情報を付加する（Ｓ３０６）。一方、未送信のものがなければ（Ｓ３０４：Ｎｏ）、アンケート回答部１７４は処理を終了する。
【００２３】
図９は、携帯端末１７０における端末位置情報送信部１７３の処理の流れの一例を示す。
端末位置情報送信部１７３は、メモリに保存されているアンケート対象リストをチェックし、未回答の（回答済情報が付加されていない）アンケートの端末位置情報取得エリアの範囲内か否か判別する（Ｓ４０１）。未回答のアンケートの端末位置情報取得エリアの範囲内である場合（Ｓ４０１：Ｙｅｓ）、端末位置情報送信部１７３はアンケート配信サーバ１００に位置情報を送信し（Ｓ４０２）、所定の間隔を空けてステップＳ４０１に戻る。これにより、携帯端末１７０が未回答のアンケートの端末位置情報取得エリアの範囲内にある場合、端末位置情報送信部１７３は所定の間隔で位置情報を送信することになる。一方、未回答のアンケートの端末位置情報取得エリアの範囲内でない場合（Ｓ４０１：Ｙｅｓ）、端末位置情報送信部１７３はステップＳ４０１を繰り返す。
【００２４】
図１０は、携帯端末１７０におけるアンケート回答部１７４の処理の流れの一例を示す。
アンケート回答部１７４は、メモリに保存されているアンケート対象リストをチェックし、未回答の（回答済情報が付加されていない）アンケートのアンケート配信エリアの範囲内か否かを判別する（Ｓ５０１）。未回答のアンケートのアンケート配信エリア内である場合（Ｓ５０１：Ｙｅｓ）、端末位置情報送信部１７３は、アンケート要求をアンケート配信サーバ１００に送信する（Ｓ５０２）。一方、未回答のアンケートのアンケート配信エリア内でない場合（Ｓ４０３：Ｎｏ）、アンケート回答部１７４は、ステップＳ５０１を繰り返す。
アンケート回答部１７４は、アンケート配信サーバ１００からアンケートを受信する（Ｓ５０３）と、アンケート内容を含むアンケート実施メッセージを携帯端末１７０のディスプレイ等に表示し（Ｓ５０４）、アンケートの実施をユーザに促す。ユーザがアンケートに回答すると、アンケート回答部１７４は、アンケート回答結果をメモリに一時保存する（Ｓ５０５）
アンケートによっては、広告効果を検証するためにエビデンス画像を残すと効果的な場合がある。アンケート回答部１７４は、アンケート内容に基づいてエビデンス画像が必要か否かを判別する（Ｓ５０６）。エビデンス画像が必要である場合（Ｓ５０６：Ｙｅｓ）、アンケート回答部１７４は、エビデンス画像取得メッセージを携帯端末１７０のディスプレイ等に表示し（Ｓ５０７）、ユーザがカメラによって撮影したエビデンス画像をメモリに一時保存する（Ｓ５０８）。一方、エビデンス画像が必要でない場合（Ｓ５０６：Ｎｏ）、アンケート回答部１７４は、ステップＳ５０７とＳ５０８をスキップしてステップＳ５０９に進む。
そして、アンケート回答部１７４は、一時保存されているアンケート回答結果とエビデンス画像（取得した場合）をアンケート配信サーバ１００に送信し（Ｓ５０９）、メモリに記録されているアンケート対象リストにそのアンケート回答結果が送信済みであることを示す回答済情報を付加する（Ｓ５１０）。
【００２５】
図１１は、ある地域２００の中にアンケートの対象物２０３がある場合に位置情報を取得するイメージの一例を示す。
端末位置情報取得エリア２０１の中にアンケート配信エリア２０２がある。端末位置情報取得エリア２０１とアンケート配信エリア２０２は対象物２０３の内容や周辺の状況により自由に設定してよい。
ユーザが経路Ａのように北から南に通行する場合、携帯端末１７０が端末位置情報取得エリア２０１の範囲内に進入する（２０４付近）と、携帯端末１７０の端末位置情報送信部１７３は位置情報をアンケート配信サーバ１００に送信することを開始する。
更に、アンケート配信エリア２０２の中に進入する（２０６付近）と、アンケート回答部１７４は、アンケート要求をアンケート配信サーバ１００に送信する。アンケート回答部１７４は、アンケート配信サーバ１００からアンケートを受信すると、アンケート実施メッセージを携帯端末１７０のディスプレイ等に表示し、ユーザにアンケートを実施させる。その後、対象物２０３の近傍２０７を通過して位置情報取得エリア２０１を抜ける（２０５付近）と、端末位置情報送信部１７３は位置情報の送信を終了する。
経路パターン毎に進入地点と最終通過地点とが予め定義され、携帯端末１７０のメモリに保存されている。アンケート回答部１７４は、例えば端末情報テーブル１１１に格納されている位置情報から進入地点と最終通過地点を求めて、一致する経路パターンから移動経路を決定する。また、アンケート回答部１７４は、例えばアンケート配信エリアへの侵入地点の位置情報と通過時刻、およびアンケートの対象物の近傍の位置情報と通過時刻から移動速度を求める。
【００２６】
図１２は、アンケート回答結果が集計されたグラフの一例を示す。
図１２（Ａ）に示すように、アンケート回答結果分析部１２５は各質問について回答を集計し、解析する。また、図１２（Ｂ）に示すように、アンケート回答結果分析部１２５は各質問について移動経路別に回答を集計し、解析することもできる。更に、アンケート回答結果分析部１２５は、移動経路や移動速度（徒歩、車、鉄道など）の違いによる広告効果の差を測定することができる。
【００２７】
なお、上述した実施形態では、ＧＰＳ受信器により位置情報を取得する例をしたが、位置情報を取得する方法はこれに限らない。例えば携帯端末１７０は、ＰＨＳ（Ｐｅｒｓｏｎａｌ  Ｈｎａｄｙ−ｐｈｏｎｅ  Ｓｙｓｔｅｍ）であり、ＰＨＳの基地局から送信される電波により位置情報を取得することとしてもよい。
【００２８】
また、上述した実施形態では、アンケート対象リストがアンケート配信エリアを含んでおり、携帯端末１７０がアンケート配信エリアに入っているか否かを判別して、携帯端末１７０の端末位置情報送信部１７３がアンケート要求をアンケート配信サーバ１００に送信するとしたが、アンケート対象リストはアンケート配信エリアを含んでおらず、端末位置情報送信部１７３はアンケート要求を送信せず、それに代えて、アンケート配信サーバ１００のアンケート配信部１２３が、アンケート対象情報テーブル１１２に含まれるアンケート配信エリアと携帯端末１７０から受信する位置情報とに基づいて、携帯端末１７０がアンケート配信エリアに入っているか否かを判別し、アンケート配信エリアに入っている場合には、そのアンケート配信エリアに対応するアンケートＩＤを含むアンケートを携帯端末１７０に送信することとしてもよい。
【００２９】
更に、端末情報テーブル１１１が、アンケートＩＤのフィールドを有し、アンケートＩＤ毎に、端末ＩＤとユーザＩＤと位置情報受信日時と位置情報受信時刻と位置情報とが格納されるとしてもよい。これにより、図７のステップＳ２０２においてアンケート回答結果登録部１２４が移動経路と移動速度を求めるとき、アンケートＩＤをキーとして端末情報テーブル１１１を検索することで、携帯端末１７０が端末位置情報取得エリアに進入してからそのエリアを出るまでの一連の位置情報受信日時と位置情報受信時刻と位置情報を取得することができる。
【００３０】
本発明によれば、携帯端末を持つ人物の移動経路や移動速度を記録することができるため動く人物からの広告効果を測定することができる。また、携帯端末がアンケート対象付近でのみ情報を送信することで、無駄な通信を抑えることができる。
【符号の説明】
【００３１】
１００…アンケート配信サーバ、１１０…記憶装置、１１１…端末情報テーブル、１１２…アンケート対象情報テーブル、１１３…アンケート回答結果テーブル、１２０…アンケート配信プログラム、１２１…アンケート対象リスト送信部、１２２…端末位置情報登録部、１２３…アンケート配信部、１２４…アンケート回答結果登録部、１２５…アンケート回答結果分析部、１３０…ネットワーク、１７０…携帯端末、１７１…常駐アプリ、１７２…アンケート対象リスト受信部、１７３…端末位置情報送信部、１７４…アンケート回答部
【図１】
2013206217.tif 000003
【図２】
2013206217.tif 000004
【図３】
2013206217.tif 000005
【図４】
2013206217.tif 000006
【図５】
2013206217.tif 000007
【図６】
2013206217.tif 000008
【図７】
2013206217.tif 000009
【図８】
2013206217.tif 000010
【図９】
2013206217.tif 000011
【図１０】
2013206217.tif 000012
【図１１】
2013206217.tif 000013
【図１２】
2013206217.tif 000014